(57)【要約】      （修正有）【課題】取り出し易く、設置し易い付箋紙座を提供する。【解決手段】ケース１と、メジャー２と、フック３とを含んでなり、ケースは、中空で、取り出し式の付箋紙４を内部に設けてなる設置空間を設けてなり、取り出し式の付箋紙を引き出すための経路になる開口を具える。又、メジャー２は、度量が刻まれた接続面２０を具えてなり、該接続面の一側面がケースと互いに接続し、フック３は、一端がメジャーの刻まれた面のケースが設けられた端縁部に対向する端縁部に接続して設けられ、他端がケースに向けて水平に延伸し、端縁部に凸部３０を設けてなる。【選択図】図１
0003164411.tif 000002
【実用新案登録請求の範囲】
【請求項１】
ケースと、メジャーと、フックとを含んでなり、
該ケースは、中空で、取り出し式の付箋紙を内部に設けてなる設置空間を設けてなり、取り出し式の付箋紙を引き出すための経路になる開口を具えてなり、
該メジャーは、度量が刻まれた接続面を具えてなり、該接続面の一側面がケースと互いに接続し、
該フックは、一端がメジャーの刻まれた面のケースが設けられた端縁部に対向する端縁部に接続して設けられ、他端がケースに向けて水平に延伸し、端縁部に凸部を設けてなることを特徴とする付箋紙座。
【請求項２】
前記設置空間が、開口を具えてなり、且つその周辺に複数の接続部を設けてなり、当接片で閉じた構造からなることを特徴とする請求項１に記載の付箋紙座。
【考案の詳細な説明】
【技術分野】
【０００１】
この考案は、付箋紙座に関し、特にメモを書いて着脱自在の付箋紙を設ける付箋紙を設ける付箋紙座に関する。
【背景技術】
【０００２】
通常、文書作業で標示分け、標記、生地、伝言などにしようする付箋紙は、書く、印刷する、標記するなどのために供する。
【０００３】
また、使用者が見る位置に設けてすぐに目に付くようにいつでもどこでも好みの場所に貼り付けることができて便利である。
【０００４】
さらに、付箋紙は異なる形状やサイズ、色などに形成して使用上、人の目を引き寄せる視覚的な効果を具えてなる。
【０００５】
上述の付箋紙は殆どが一枚の紙か、或いは座の上に設けられて形成される。
【０００６】
一般に、室内の文書作業では多種多様な付箋紙が必要である。
【０００７】
このため、使用頻度に合わせて必要な付箋紙をそれぞれ準備しておかなければならない。
【０００８】
しかしながら、使用者が様々な付箋紙を卓上などに分散して設けておくことは使用上不便で、携帯する場合にも容易に見つからないなどの問題が発生する。
【０００９】
よって、使用が乱雑になり、秩序がなく便利さが損なわれ、作業効率にも影響を与える。
【考案の概要】
【考案が解決しようとする課題】
【００１０】
この考案は、取り出し易く、設置し易い付箋紙座を提供することを課題とする。
【課題を解決するための手段】
【００１１】
そこで、本考案者は従来の技術に見られる欠点に鑑みて鋭意研究を重ねた結果、ケースと、メジャーと、フックとを含んでなり、
該ケースは、中空で、取り出し式の付箋紙を内部に設けてなる設置空間を設けてなり、取り出し式の付箋紙を引き出すための経路になる開口を具えてなり、
該メジャーは、度量が刻まれた接続面を具えてなり、該接続面の一側面がケースと互いに接続し、
該フックは、一端がメジャーの刻まれた面のケースが設けられた端縁部に対向する端縁部に接続して設けられ、他端がケースに向けて水平に延伸し、端縁部に凸部を設けてなる付箋紙座によって課題を解決できる点に着眼し、かかる知見に基づいて本考案を完成させた。
【００１２】
以下、この考案について具体的に説明する。
請求項１に記載の付箋紙座は、ケースと、メジャーと、フックとを含んでなり、
該ケースは、中空で、取り出し式の付箋紙を内部に設けてなる設置空間を設けてなり、取り出し式の付箋紙を引き出すための経路になる開口を具えてなり、
該メジャーは、度量が刻まれた接続面を具えてなり、該接続面の一側面がケースと互いに接続し、
該フックは、一端がメジャーの刻まれた面のケースが設けられた端縁部に対向する端縁部に接続して設けられ、他端がケースに向けて水平に延伸し、端縁部に凸部を設けてなる。
【００１３】
請求項２に記載する付箋紙座は、請求項１における設置空間が、開口を具えてなり、且つその周辺に複数の接続部を設けてなり、当接片で閉じた構造からなる。
【考案の効果】
【００１４】
この考案による付箋紙座は、実用的で、携帯にも便利であるという効果を有する。
【図面の簡単な説明】
【００１５】
【図１】この考案の付箋紙座を示した斜視図である。
【図２】この考案の付箋紙座を示した分解図である。
【図３】この考案の付箋紙座を組み合わせた状態を示した説明図である。
【図４】この考案の付箋紙座の使用状態を示した説明図である。
【図５】この考案の付箋紙座を上着のポケットに装着した状態を示した説明図である。
【図６】この考案の付箋紙座をかばんに装着した状態を示した説明図である。
【考案を実施するための形態】
【００１６】
この考案は、取り出し易く、設置し易い付箋紙座であって、ケースと、メジャーと、フックとを含んでなり、
該ケースは、中空で、取り出し式の付箋紙を内部に設けてなる設置空間を設けてなり、取り出し式の付箋紙を引き出すための経路になる開口を具えてなり、
該メジャーは、度量が刻まれた接続面を具えてなり、該接続面の一側面がケースと互いに接続し、
該フックは、一端がメジャーの刻まれた面のケースが設けられた端縁部に対向する端縁部に接続して設けられ、他端がケースに向けて水平に延伸し、端縁部に凸部を設けてなる付箋紙座の構造と特徴を詳述するために具体的な実施例を挙げ、図示を参照にして以下に説明する。
【実施例】
【００１７】
図１、２は、この考案の付箋紙座を示したものである。
【００１８】
図面によれば、該付箋紙座は、ケース１と、メジャー２と、フック３と、該ケース１内に埋設された取り出し式の付箋紙４とを一体に形成してなる。
【００１９】
該ケース１は、長方形で、両端が円弧状面に装飾して形成され、設置空間１０と、開口とを具えてなる。
【００２０】
該開口は、端縁面が階段状に形成され、該階段状の上縁には適宜な位置に複数の接続部１１が対向して設けられる。
【００２１】
また、ケース１の円弧状面は該設置空間１０の矩形溝１２と貫通して設けられる。
【００２２】
メジャー２は、好みの形状に形成することができる。この考案の実施形態では長方形に形成し、メジャー２の表面には接続面２０が設けられる。
【００２３】
該接続面２０は、側面には該ケース１と一体に成形して接続され、該接続面２０には上方に突出して形成される。
【００２４】
メジャー２は、長手方向表面のどちらかに度量２１が刻まれるか、或いは長手方向表面両側にそれぞれ異なる度量２１を刻み、異なる度量で計量するために供することができる。
【００２５】
該フック３は、長い円形状で弾性を具えてなり、メジャー２表面のケース１が設けられた端縁部に対向する端縁部に設けられる。
【００２６】
該フック３は、一端がメジャー２の接続面２０と一帯に成形され垂直に接続し、他端がケース２に向けて水平に延伸して形成され、端縁部にメジャー２の方向へ突出して形成され円形面を具えた凸部３０を具えてなる。
【００２７】
取り出し式の付箋紙４は、長方形を呈し、複数枚の付箋紙を上下に積み重ね前後が交互になるように部分的に互いに粘着する方法で積み重ねて一体に形成されている。
【００２８】
よって、最も上方の付箋紙を引き出すと、同時にその下にある一枚が引き出される。
【００２９】
図３は、この考案の付箋紙座を組み合わせた状態を示した底面図である。
【００３０】
該付箋紙４は、ケース１の設置空間１０内に埋設され、当接片５を設置空間１０の開口周辺の複数の接続部１１と階段状面との間の隙間に穿設して開口を閉じて抜け落ちることを防ぐとともに、付箋紙４が落ちることを防ぐことができる。
【００３１】
また、最も上方の付箋紙の一端がケース１の表面の矩形溝１２から外部に突出するため、使用者が付箋紙を取り出すために便利である。
【００３２】
図４、５は、この考案の他の実施形態を示したものである。
【００３３】
付箋紙座を携帯する場合、メジャー２の一端に設けられたフック３を利用する。
【００３４】
該フック３とメジャー２の接続面２０との間の隙間と円形面を具えた凸部３０とを利用して、服やパンツのポケット６など使用者の好みの位置を挟持して位置決めする。
【００３５】
挟持方法は使用者がポケット６の正面、或いは背面のどちらに設けたいかにより、分かり易く便利に携帯することができる。
【００３６】
習慣的に上半身に設けておけば、付箋紙４をいつでも取り出すことができる。
【００３７】
図６は、この考案の付箋紙座のその他の実施形態を示したものである。
【００３８】
図面によれば、この実施形態ではバッグ７の外部ポケットに設けてなるが、ブックカバーやノートなどに挟持して設けても使用に便利である。
【００３９】
上述のように、この考案の付箋視座は、付箋紙の充填方法や操作がいずれも簡単で便利であって、付箋紙座には異なる度量が設けられたメジャー２が一体に成形して設けられるとともに、挟持するために供するフック３も設けられているため、実用的である。
【００４０】
特に度量を利用してメジャー２で計量する場合、突出して付箋紙座が設けられているため、平たい場所に設ければ自由に位置を移動することができるため、移動して操作する場合に便利である。
【００４１】
また、メジャー２を増やすことができてさらに便利である。
【００４２】
その他、一体に形成されたフック３は、付箋紙４を体の一部に挟持させて携帯できるため、いつでも付箋紙を取り出すことができる。
【００４３】
上述の組み合わせから形成するため、室内の文書作業において有効に分類、表記などを実施する目的を達成することができ、高い使用効率を具えてなる。
【００４４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４５】
１      ケース
１０    設置空間
１１    接続部
１２    矩形溝
２      メジャー
２０    接続面
２１    度量
３      フック
３０    凸部
４      フィルム
５      当接片
６      ポケット
７      バッグ
【図１】
0003164411.tif 000003
【図２】
0003164411.tif 000004
【図３】
0003164411.tif 000005
【図４】
0003164411.tif 000006
【図５】
0003164411.tif 000007
【図６】
0003164411.tif 000008